(57)【要約】【課題】  ヒドロキシアパタイト等の水不溶性固体を分散した水性組成物であって、水不溶性固体の沈降が十分なレベルまで抑制された水性組成物を提供すること。【解決手段】  水不溶性固体と、（Ａ）ポリオキシエチレンアルキルエーテル硫酸塩、（Ｂ）オレフィンスルホン化物塩、（Ｃ）脂肪酸アミドアルキルベタイン及び（Ｄ）脂肪酸アルカノールアミドを含有する水性組成物。【選択図】  なし【特許請求の範囲】
【請求項１】
水不溶性固体と、下記（Ａ）、（Ｂ）、（Ｃ）及び（Ｄ）成分を含有することを特徴とする水性組成物。
（Ａ）ポリオキシエチレンアルキルエーテル硫酸塩
（Ｂ）オレフィンスルホン化物塩
（Ｃ）脂肪酸アミドアルキルベタイン
（Ｄ）脂肪酸アルカノールアミド
【請求項２】
水不溶性固体がヒドロキシアパタイトであることを特徴とする請求項１記載の水性組成物。
【発明の詳細な説明】
【技術分野】
【０００１】
本発明は、水性組成物に関する。
【背景技術】
【０００２】
従来、界面活性剤を含有する化粧料に水不溶性固体を分散させることにより、外観の向上等を図る試みがなされてきた（例えば、特許文献１参照）。
【特許文献１】特開平１１−１７２２９６号公報
【発明の開示】
【発明が解決しようとする課題】
【０００３】
しかしながら、水に不溶な固体を界面活性剤で分散させようとしても、水溶性（メタ）アクリル酸アルキル共重合体等の増粘能を有する化合物が必要となり、分散物の粘度が高くなってしまったり、経時で水不溶性固体が沈降してくる問題があった。
【０００４】
また、ヒドロキシアパタイトは、吸着能を有し化粧料添加物として有用と考えられているが、この化合物も水不溶性固体であるために、沈降が生じないように化粧料に分散する有効な方法が求められている状況にある。
【０００５】
そこで、本発明の目的は、ヒドロキシアパタイト等の水不溶性固体を分散した水性組成物であって、水不溶性固体の沈降が十分なレベルまで抑制された水性組成物を提供することにある。
【課題を解決するための手段】
【０００６】
上記目的を達成するために、本発明は、水不溶性固体と、下記（Ａ）、（Ｂ）、（Ｃ）及び（Ｄ）成分を含有する水性組成物を提供する。
（Ａ）ポリオキシエチレンアルキルエーテル硫酸塩
（Ｂ）オレフィンスルホン化物塩
（Ｃ）脂肪酸アミドアルキルベタイン
（Ｄ）脂肪酸アルカノールアミド
【０００７】
本発明の水性組成物は、一般に、水又は水性媒体（例えば、アルコール等の水溶性溶媒と水の混合物等）を含有し、この水又は水性媒体中で、水不溶性固体が（Ａ）〜（Ｄ）成分により分散されたものである。この水性組成物は、増粘能を有する化合物を含有させなくても、水不溶性固体の沈降が生じ難く、粘度を低粘度に維持することも可能である。なお、この水性組成物は化粧料として用いることができる。
【０００８】
水性組成物が含有する水不溶性固体は、ヒドロキシアパタイトであることが好ましい。従来、ヒドロキシアパタイトを、増粘能を有する化合物を使用せず、沈降しないようにして化粧料に配合することは困難であったため、ヒドロキシアパタイトの皮脂吸着性等の機能を有効に発揮させる化粧料を作製することは困難であった。しかし、本発明の水性組成物では、増粘能を有する化合物を含有させなくても、ヒドロキシアパタイトの沈降が抑制され、微細に分散した状態で存在する。そのため、ヒドロキシアパタイトの皮脂吸着能等の機能を十分に発揮させることが可能になる。
【０００９】
本発明の水性組成物においては、（Ａ）成分が、ポリオキシエチレン（平均付加モル数１〜５）アルキル（炭素数８〜２２）エーテル硫酸塩であることが好ましく、（Ｂ）成分は、アルケンモノスルホン酸塩及び／又はヒドロキシアルカンスルホン酸塩を含有することが好ましい。また、（Ｃ）成分が、脂肪酸（炭素数８〜２２）アミドプロピルベタインであることが好ましく、（Ｄ）成分が、脂肪酸ジアルカノールアミドであることが好ましい。
【００１０】
（Ａ）〜（Ｄ）成分が上記の化合物である場合は、水不溶性固体を水中で分散する能力が一段と高くなり、水不溶性固体の沈降をより確実に防止することが可能となる。
【００１１】
本発明の水性組成物は、（Ｄ）成分１質量部に対して、（Ａ）成分０．１〜５０質量部、（Ｂ）成分０．１〜５０質量部、（Ｃ）成分０．１〜４０質量部含有することが望ましい。
【００１２】
このような比率で（Ａ）〜（Ｄ）成分を含有することで、水不溶性固体を水中で分散する能力が増加し、低粘度で透明性の高い水性組成物を得ることができる。
【発明の効果】
【００１３】
ヒドロキシアパタイト等の水不溶性固体を分散した水性組成物であって、水不溶性固体の沈降が十分なレベルまで抑制された水性組成物が提供される。
【発明を実施するための最良の形態】
【００１４】
以下、本発明の好適な実施形態について詳細に説明する。
【００１５】
本発明の水性組成物が含有する（Ａ）成分は、ポリオキシエチレンアルキルエーテル硫酸塩である。（Ａ）成分としては、好ましくは、以下の一般式（１）で表されるポリオキシエチレンアルキルエーテル硫酸塩を用いる。なお、式中、Ｒ１は、炭素数８〜２２のアルキル基又はアルケニル基を示し、Ｍはアルカリ金属、アンモニウムまたはアルカノールアミンを示し、ｎは１〜７の数を示す。
Ｒ１Ｏ（ＣＨ２ＣＨ２Ｏ）ｎＳＯ３Ｍ …（１）
【００１６】
水不溶性固体の分散性の観点から、Ｒ１としては、炭素数１０〜１８のアルキル基又はアルケニル基が好ましく、炭素数１０〜１６のアルキル基又はアルケニル基がより好ましく、炭素数１０〜１４のアルキル基が更に好ましい。同様の観点から、ｎとしては１〜６の数が好ましく、１〜４の数がより好ましく、１〜３の数が更に好ましい。製造上の容易さと安定性から、アルカリ金属であるＭとして好ましいのは、ナトリウム又はカリウムであり、ナトリウムがより好ましい。
【００１７】
好ましい（Ａ）成分としては、ポリオキシエチレン（平均付加モル数１〜５）アルキル（炭素数８〜２２）エーテル硫酸塩、ポリオキシエチレン（平均付加モル数１〜４）アルキル（炭素数８〜２２）エーテル硫酸塩、ポリオキシエチレン（平均付加モル数１〜３）アルキル（炭素数８〜２２）エーテル硫酸塩、ポリオキシエチレン（平均付加モル数１〜５）アルキル（炭素数１０〜１８）エーテル硫酸塩、ポリオキシエチレン（平均付加モル数１〜４）アルキル（炭素数１０〜１８）エーテル硫酸塩、ポリオキシエチレン（平均付加モル数１〜３）アルキル（炭素数１０〜１８）エーテル硫酸塩、ポリオキシエチレン（平均付加モル数１〜５）アルキル（炭素数１０〜１６）エーテル硫酸塩、ポリオキシエチレン（平均付加モル数１〜４）アルキル（炭素数１０〜１６）エーテル硫酸塩、ポリオキシエチレン（平均付加モル数１〜３）アルキル（炭素数１０〜１６）エーテル硫酸塩、ポリオキシエチレン（平均付加モル数１〜５）アルキル（炭素数１０〜１４）エーテル硫酸塩、ポリオキシエチレン（平均付加モル数１〜４）アルキル（炭素数１０〜１４）エーテル硫酸塩、ポリオキシエチレン（平均付加モル数１〜３）アルキル（炭素数１０〜１４）エーテル硫酸塩が挙げられ、これらの塩としてはナトリウム塩が好適である。
【００１８】
このような（Ａ）成分の具体例としては、ポリオキシエチレン（平均付加モル数２）ラウリルエーテル硫酸ナトリウムが挙げられる。なお、（Ａ）成分は単独又は２種以上を組み合わせて用いることができる。
【００１９】
本発明の水性組成物が含有する（Ｂ）成分は、オレフィンスルホン化物塩である。ここで、「オレフィンスルホン化物塩」とは、オレフィンを無水硫酸等でスルホン化しアルカリ（アルカリ金属、アルカリ土類金属等の水酸化物等）で処理して得られる塩をいう。
【００２０】
したがって、オレフィンスルホン化物塩は、一般に、アルケンモノスルホン酸塩及びヒドロキシアルカンスルホン酸塩の混合物となり、前者は以下の一般式（２）で、後者は以下の一般式（３）で表すことができる。なお、式中、Ｒ２及びＲ３はそれぞれ独立に、水素原子又はアルキル基であり、ｐ及びｑはそれぞれ独立に８〜３０の数である。また、Ｍはアルカリ金属である。
Ｒ２−ＣＨ＝ＣＨ−（ＣＨ２）ｐ−ＳＯ３Ｍ  …（２）
Ｒ３−ＣＨ＝ＣＨ−（ＣＨ２）ｑ−ＳＯ３Ｍ  …（３）
【００２１】
水不溶性固体の分散性の観点から、Ｒ２及びＲ３はそれぞれ独立に、水素原子又は炭素数１〜６のアルキル基であることが好ましく、水素原子が好ましい。すなわち、α−オレフィンスルホン化物塩が好ましい。また、Ｒ２及びＲ３の炭素数は一般に同数である。ｐ及びｑは８〜１８の数が好ましく、８〜１６の数がより好ましく、８〜１４が更に好ましい。製造上の容易さと安定性から、アルカリ金属であるＭとして好ましいのは、ナトリウム又はカリウムであり、ナトリウムがより好ましい。
【００２２】
このような（Ｂ）成分の具体例としては、テトラデセンスルホン酸ナトリウムとヒドロキシデカンスルホン酸ナトリウムの混合物が挙げられる。なお、（Ｂ）成分は単独又は２種以上を組み合わせて用いることができる。
【００２３】
本発明の水性組成物が含有する（Ｃ）成分は、脂肪酸アミドアルキルベタインである。（Ｃ）成分としては、好ましくは、以下の一般式（４）で表される脂肪酸アミドアルキルカルボキシベタインを用いる。なお、式中、Ｒ４は炭素数８〜２０のアルキル基、Ｒ５は炭素数１〜６のアルキレン基、Ｒ６及びＲ７はそれぞれ独立に炭素数１〜６のアルキル基である。また、Ｍはアルカリ金属である。
Ｒ４−ＣＯ−ＮＨ−Ｒ５−ＮＲ６Ｒ７−ＣＯＯＭ  …（４）
【００２４】
水不溶性固体の分散性の観点から、Ｒ４は炭素数８〜１８のアルキル基が好ましく、Ｒ５は炭素数２〜４のアルキレン基が好ましく、Ｒ６及びＲ７はそれぞれ独立に炭素数１〜３のアルキル基が好ましい。製造上の容易さと安定性から、アルカリ金属であるＭとして好ましいのは、ナトリウム又はカリウムであり、ナトリウムがより好ましい。
【００２５】
一般式（４）においては、Ｒ４−ＣＯ−で表される部分が、天然のヤシ油又はパーム核油に由来する脂肪酸の脂肪酸残基であることが好ましい。ヤシ油脂肪酸及びパーム核油脂肪酸は、脂肪酸の混合物であり、ラウリン酸（Ｃ１２）、ミリスチン酸（Ｃ１４）、パルミチン酸（Ｃ１６）、カプリン酸（Ｃ１０）を主要脂肪酸として含有する。よって、Ｒ４−ＣＯ−で表される部分が、天然のヤシ油又はパーム核油に由来する脂肪酸の脂肪酸残基である場合は、（Ｃ）成分は混合物となる。
【００２６】
このような（Ｃ）成分の具体例としては、ヤシ油脂肪酸アミドプロピルベタインが挙げられる。なお、（Ｃ）成分は単独又は２種以上を組み合わせて用いることができる。
【００２７】
本発明の水性組成物が含有する（Ｄ）成分は、脂肪酸アルカノールアミドである。（Ｄ）成分としては、脂肪酸ジアルカノールアミド及び／又は脂肪酸モノアルカノールアミドが好ましく、より好ましくは、以下の一般式（５）で表される脂肪酸ジエタノールアミド又は以下の一般式（６）で表される脂肪酸モノエタノールアミドを用いる。なお、式中、Ｒ８及びＲ９はそれぞれ独立に炭素数１〜６のアルキル基である。
Ｒ８−ＣＯＮ（ＣＨ２ＣＨ２ＯＨ）２  …（５）
Ｒ９−ＣＯＮＨＣＨ２ＣＨ２ＯＨ  …（６）
【００２８】
水不溶性固体の分散性の観点から、Ｒ８及びＲ９はそれぞれ独立に炭素数８〜１８のアルキル基が好ましく、炭素数１０〜１６のアルキル基がより好ましい。
【００２９】
一般式（５）においては、一般式（４）の場合と同様に、Ｒ８−ＣＯ−及びＲ９−ＣＯ−で表される部分が、天然のヤシ油又はパーム核油に由来する脂肪酸の脂肪酸残基であることが好ましい。ヤシ油脂肪酸及びパーム核油脂肪酸は、脂肪酸の混合物であり、ラウリン酸（Ｃ１２）、ミリスチン酸（Ｃ１４）、パルミチン酸（Ｃ１６）、カプリン酸（Ｃ１０）を主要脂肪酸として含有する。よって、Ｒ８−ＣＯ−及びＲ９−ＣＯ−で表される部分が、天然のヤシ油又はパーム核油に由来する脂肪酸の脂肪酸残基である場合は、（Ｄ）成分は混合物となる。
【００３０】
このような（Ｄ）成分の具体例としては、ヤシ油脂肪酸ジエタノールアミドが挙げられる。なお、（Ｄ）成分は単独で又は２種以上を組み合わせて用いることができる。
【００３１】
上述した（Ａ）〜（Ｄ）成分を組み合わせることで、水不溶性固体を水中に分散することができ、分散された水不溶性固体の沈降は抑制される。
【００３２】
本発明の水性組成物は、（Ｄ）成分１質量部に対して、（Ａ）成分を０．１〜５０質量部、（Ｂ）成分を０．１〜５０質量部、（Ｃ）成分を０．１〜４０質量部含有することが好ましい。特に、洗浄剤として用いるときには、水性組成物は（Ｄ）成分１質量部に対して、（Ａ）成分を１〜５０質量部、（Ｂ）成分を０．１〜５０質量部、（Ｃ）成分を０．１〜４０質量部含有することが好ましく、（Ｄ）成分１質量部に対して、（Ａ）成分を１〜５０質量部、（Ｂ）成分を０．１〜５０質量部、（Ｃ）成分を０．１〜３０質量部含有することがより好ましい。洗浄剤以外の水性組成物として用いるときは、水性組成物は（Ｄ）成分１質量部に対して、（Ａ）成分を０．１〜５０質量部、（Ｂ）成分を０．１〜５０質量部、（Ｃ）成分を０．１〜３０質量部含有することが好ましい。（Ａ）〜（Ｄ）成分の量が上記下限値未満又は上限値超であるときは、水不溶性固体の分散が不十分になる場合がある。
【００３３】
本発明の水性組成物に含まれる水不溶性固体としては、粉体、ビーズ、マイクロカプセルが挙げられる。
【００３４】
粉体としては、ヒドロキシアパタイト、アパタイト、二酸化ケイ素、タルク、カオリン、ベントナイト、ゼオライト等の無機粉体や、酸化チタン、酸化亜鉛、酸化セリウム、酸化鉄、酸化ジルコニウム等の紫外線遮断能を有する無機粉体、ポリエチレンパウダー、ポリスチレンパウダー、ポリアミドパウダー等の有機粉体が挙げられ、ヒドロキシアパタイト等の吸着性の無機粉体が好ましい。ビーズとしてはガラスビーズ、ポリエチレンビーズが挙げられる。また、マイクロカプセルとしては、有効成分を微細なカプセルで包んだカプセル、例えば、ゼラチンカプセル、香料カプセルが挙げられる。
【００３５】
水不溶性固体としては、従来、沈降を防止して微分散することが困難であったヒドロキシアパタイトが好ましい。ここで、ヒドロキシアパタイトは、Ｃａ１０（ＰＯＰＯ４）６（ＯＨ）２の化学式で示され、クロマトグラフィーの吸着剤や人工歯根等生体材料として汎用されている化合物である。
【００３６】
水性組成物においては、水不溶性固体１質量部に対して、（Ａ）〜（Ｄ）成分の合計質量が５０〜２００質量部、水が５００〜１０００質量部が好ましく、水不溶性固体１質量部に対して、（Ａ）〜（Ｄ）成分の合計質量が８０〜１２０質量部、水が６００〜９００質量部がより好ましい。
【００３７】
水不溶性固体１質量部に対する（Ａ）〜（Ｄ）成分の合計質量が上記下限値未満のときは、水不溶性固体の分散が不十分となる場合があり、上記上限値を越すときは、粘度の上昇、起泡等が生じる場合がある。
【００３８】
本発明の水性組成物は、化粧料として用いることができる。化粧料の用途としては、洗浄剤、シャンプー等が挙げられる。
【００３９】
水性組成物は、水中で（Ａ）〜（Ｄ）成分とともに水不溶性固体を混合すれば得ることができる。この場合において、（Ａ）〜（Ｄ）成分の混合物を先に製造して、それと水不溶性固体を混合してもよく、水不溶性固体と（Ａ）〜（Ｄ）成分とを別々に添加してもよい。なお、水性組成物を含有する化粧料は、水性組成物と必要な他の成分とを混合すればよい。
【００４０】
本発明の水性組成物においては、上記成分の他に、必要に応じて、本発明の効果を阻害しない範囲内で、ゲル化剤、油分、保湿剤、防腐剤、酸化防止剤、紫外線吸収剤、紫外線防御剤、高分子、界面活性剤、無機／有機粉体、色素、顔料、薬剤、アルコール（セチルアルコール，ステアリルアルコール，ベヘニルアルコール等の高級アルコール等）、溶剤、香料、保存安定性向上剤（例えば、塩化ナトリウム，塩化カルシウムなどの無機塩、粘土鉱物）、皮膜形成剤（例えば、ポリビニルピロリドン系皮膜剤、アクリル酸系皮膜剤）、美白剤、植物抽出物、細胞賦活剤、血行促進剤、抗脂漏剤、水溶性高分子、増粘剤、金属イオン封鎖剤などを適宜配合することができる。
【実施例】
【００４１】
以下、実施例及び比較例に基づき本発明をさらに具体的に説明するが、本発明は以下の実施例に何ら限定されるものではない。
【００４２】
（界面活性剤混合物の調製）
以下の表１に示す組み合わせで界面活性剤混合物（組成物１〜４５）を調製した。なお、表１におけるＡ、Ｂ、Ｃ、Ｄはそれぞれ（Ａ）成分、（Ｂ）成分、（Ｃ）成分、（Ｄ）成分を意味し、各組成物は、縦の成分と横の成分を同じ質量比で室温にて混合することにより得た。Ａ・Ｂのように記載されているものは、（Ａ）成分と（Ｂ）成分の等量（同一質量）混合物である。
【００４３】
したがって、例えば、組成物１は（Ａ）成分と（Ｂ）成分の同一質量混合物を示し、組成物４は（Ａ）成分７５質量部とＢ成分２５質量部の混合物を示し、組成物１９は（Ａ）成分２５質量部、（Ｂ）成分２５質量部、（Ｃ）成分５０質量部の混合物を示し、組成物３５、３８及び４０はいずれも、（Ａ）成分２５質量部、（Ｂ）成分２５質量部、（Ｃ）成分２５質量部、（Ｄ）成分２５質量部の混合物を示す。
【００４４】
【表１】
2008255305.tif 000002
【００４５】
表１中の（Ａ）成分は、ポリオキシエチレン（平均付加モル数２）ラウリルエーテル硫酸ナトリウム（純分２７質量％）、（Ｂ）成分は、オレフィン（炭素数１４〜１６）スルホン酸ナトリウムとヒドロキシアルカン（炭素数１４〜１６）スルホン酸ナトリウムの混合物（純分３７質量％）、（Ｃ）成分はヤシ油脂肪酸アミドプロピルベタイン（純分２８質量％）、（Ｄ）成分はヤシ油脂肪酸ジエタノールアミド（純分１００質量％）を意味する。なお、純分とは各成分に記載の成分が含まれる割合（質量％）を意味する。
【００４６】
（水性組成物の調製１）
表１に示した組成物１〜４５のそれぞれを、以下の表２の組成比となるようにして、混合・均質化して水性組成物を調製した。得られた水性組成物は全て、粘度が１０００〜２０００ｃｐｓ未満の低粘度分散物であった。
【００４７】
【表２】
2008255305.tif 000003
【００４８】
混合・均質化して得られた水性組成物を、４０℃で１ヶ月保存し、ヒドロキシアパタイト沈降状況を目視にて観察した。観察の結果を以下の表３に示す。なお、表３では、含有する（Ａ）、（Ｂ）、（Ｃ）及び（Ｄ）成分に基づいて（表１に対応）結果を記載してある。
【００４９】
【表３】
2008255305.tif 000004
【００５０】
表３において、○は４０℃で１ヶ月保存した段階でヒドロキシアパタイトの沈降が観察されなかったことを示し、×は４０℃で１ヶ月保存した段階でヒドロキシアパタイトの沈降が見られたことを示す。なお、（Ａ）、（Ｂ）、（Ｃ）、（Ｄ）成分それぞれ単独の場合、調整時から透明に分散することはなかった。
【００５１】
（水性組成物の調製２）
表４に示す精製水以外の成分を、順次精製水に添加、溶解、均質化することにより水性組成物（透明液状シャンプー）を調製した。成分の配合割合は表４のとおりであった。この水性組成物において、ヒドロキシアパタイトは良好に分散しており、５０℃１ヶ月、４０℃６ヶ月、５℃２４時間〜４０℃２４時間７サイクルの条件でそれぞれ保管した場合でも、ヒドロキシアパタイトの沈降は見られなかった。また、かかる水性組成物の粘度は調整直後１５６０ｃｐｓ、１〜６ヶ月保存後は約１７００ｃｐｓで安定していた。
【００５２】
【表４】
2008255305.tif 000005